(57)【要約】【課題】甚だ小回りのきくかたちで事実上ウィルスの種類を問わずこれを大幅に排除できるような高度の抗ウィルス機能をもつ素材ないし部材を提供する。【解決手段】クルミ科に属するペカン類植物の種子殻を炭化させて、本発明の抗ウィルス製吸着材とする。とりわけこれを粉末状態にしてフィルター状基材に担持ないし混入させた形態の製品とする。【選択図】図２
2007190541.tif 000002
【特許請求の範囲】
【請求項１】
クルミ科に属するペカン類植物の種子殻を炭化させて成ることを特徴とする抗ウイルス性吸着材。
【請求項２】
クルミ科に属するペカン類植物の種子殻の炭化物を粉末状態にしてフィルター状基材に担持ないし混入させて成ることを特徴とする抗ウイルス性吸着材。
【発明の詳細な説明】
【技術分野】
【０００１】この発明は、ウィルス類の被害を防ぐための素材又はその加工品に関する。
【背景技術】
【０００２】ウィルスは様々な感染型疾患の原因となっており、人類が未だ克服していない最大の敵対物に挙げられるといっても過言ではない。勿論インターフェロンをはじめとする各種の薬剤が開発されてはいるものの、その効力は全般的に甚だ不十分でコストも甚だ高くつき、ある種のウィルスのみに特異的効力を発揮したとしても、すぐにそれに対する耐性をもったものが突然変異で出現して結局いたちごっこであるというのが現状となっている。【０００３】そこでウィルスの種類を問わず効力を発揮できるような抗ウィルス手段が要望されるわけであるが、それには大別してウィルスを死滅又は不活性化させる方法と濾過又は吸着させる方法とがあると考えられている。しかしながら、前者においては煮沸や劇薬等を使う以外は効力が不十分であり、後者も後述のようにマスクや既存のフィルターでは気休め程度であり、その他、空調や空気清浄機等を用いるにしても、極めて高度な設備が必要であって一般的ではない。
【発明の開示】
【発明が解決しようとする課題】
【０００４】本発明はかかる現状から、甚だ小回りのきくかたちで事実上ウィルスの種類を問わずこれを大幅に排除できるような高度の抗ウィルス機能をもつ素材ないし部材を提供することを課題とする。
【課題を解決するための手段】
【０００５】上記課題を解決すべく本発明者は種々様々な素材を炭化させて試験・研究を重ねてきたが、その結果、クルミ科に属するペカン類植物の種子殻を炭化させて得られる炭化物は、単なる通常の活性炭などとは異なる驚くべき物性を有することを見出し、本発明に至った。【０００６】上記の炭化物を実際に用いるにあたり、これを粉末状態にしてフィルター状基材に担持ないし混入させることが好ましい。例えば、これを不織布に容易に離脱しないように含浸（付着）させる技術は既に確立されているから、そのようにして製作したシートをマスク内に装填するなどである。【０００７】上記ペカン類植物の種子は通称ペカンナッツと呼ばれているもので、特に欧米では大量に産出するが、本来、亜熱帯に生育するヒッコリーの堅果であり、クルミ属の仲間であって、その実は食用にされ、果皮は指で割れる程度に薄いが、果皮の下にかなりの厚さの縮合型タンニン（プロアントシアニジン）を主成分とする種皮（薄皮）が外部刺激から胚を守っている。米国ＦＤＡがこのぺカンナッツをナッツの中で最高の抗酸化物質を持つ食品として推奨している。【０００８】本発明においては上記のようなよく知られた物性とは別に、その殻部分を炭化させてなおかつ卓越した高度の抗ウィルス性を発揮するという物性を利用する点に特徴がある。すなわちその抗ウィルス性とは、ペカンナッツ殻炭化物のもつ独特の微細立体空隙構造がウィルスを一旦収容すると離さない物理的形状をなしていると同時に、ウィルス自体を失活させる化学的性質も備えているため、その相乗作用によりこれまでにないほど高度の抗ウィルス性を発揮できたものと推定される。その具体的な実施テストの結果は後述する。
【発明の効果】
【０００９】本発明による炭化物或いはその加工品は、在来の活性炭やフィルター等とは段違いのウィルス防御効果を奏するものであり、しかも事実上、ウィルスの種類を問わず、耐性種の発生の余地がなく、副作用のおそれもないなどの効果がある。
【発明を実施するための最良の形態】
【００１０】ペカンナッツの殻を約８００℃前後で無酸素環境において約１昼夜焼成し、炭化物とする。これをそのまま使用する場合もあるが、好ましくは粒径５〜２０ｍμまたはそれ以下に微粉末化する。これを適宜対象物に混合或いは付着させるなどして使用する。【００１１】上記の粉末化した炭化物を、糸、布、或いは不織布等に均一に担持させる。本発明者のノウハウによりあたかもそれがしみ込んだような灰色のシート等の二次製品が既に実現しているが、これらは水洗等により容易に離脱しないにもかかわらず、吸着等の機能を喪失しないことが確認されている。またレーヨンなどの材料中に練り込んだ二次製品の試作にも成功している。このようなシート或いは糸状の二次製品を適宜加工して、例えばマスク、病院用の資財、食品工業や水耕栽培その他広範な用途に供するものとする。
【実験例１】
【００１２】ＳＡＲＳコロナウィルス溶液に各種濃度となるように上記のペカンナッツ殻の炭化物微粒子を加え、一定時間後にウィルス液を希釈し、アフリカミドリザル腎臓由来のＶｅｒｏ細胞でプラーグ法により当該炭化物微粒子に吸着されないウィルス量を測定した。なお上記ＳＡＲＳコロナウィルスはＦＦＭ−１株（Ｄｒ．Ｈ．Ｗ．Ｄｏｅｒｒ，Ｆｒａｎｋｆｒｕｔ  Ｕｎｉｖｅｒｓｉｔｙ  ｏｆ  Ｍｅｄｉｃｉｎｅ，Ｇｅｒｍａｎｙより分与）を用いた。
【００１３】ウィルス液（１．７×１０８ＰＦＵ／ｍｌ）０．２ｍｌに種々の濃度の当該炭化物微粒子を加えて１０分間室温で放置後、測定したウィルスの力価を図１に示す。図中のＸ軸はペカンナッツ炭化物の量（ｍｇ／０．２ｍｌ）、Ｙ軸はペカンナッツ炭化物に吸着されなかったウィルス量（プラーク形成単位×１０−５／ｍｌ）である．これによりＳＡＲＳコロナウィルスに対するペカンナッツ炭化物の吸着効果は濃度依存的に顕著に認められた。
【実験例２】
【００１４】上記のペカンナッツの炭化物を粒径約１０μｍに粉末化したものを０．５ｍｍ厚の不織布に約１ｍｇ／ｃｍ２程度、本発明者のもつノウハウにより担持させたシートを用い、上記のＳＡＲＳコロナウィルスについてその防御機能のテストを行なった。比較のために、他社４種のマスク用シート及びフィルター（シート）なしの場合も同様に行なった。その方法は、一定面積のフィルターに一定量のＳＡＲＳコロナウィルス液を吸着させた後、一定時間後にフィルターを洗浄し前記同様に吸着されないウィルス量を測定した。すなわち１ｃｍ角のフィルターに５０μｌ（１０−７ＰＦＵ／ｍｌ）のウィルス液を吸収させ、５分後に４５０μｌのウィルス希釈液で溶出し、溶出後のウィルス力価を測定した。
【００１５】ウィルス力価の測定は、以下のようなプラーグ形成法で行なった。すなわちフィルターで処理したウィルス液を１％、ウシ血清アルプミンを加えたＰＢＡ（−）で１０倍階段希釈し、各０．２ｍｌずつをそれぞれのウエルに接種した。２５℃で６０分間感染させた後、１％メチルセルロースを加えたＤＭＥＭ（５％ウシ胎児血清含有）で４日間培養した。培養後、メチルセルロースを取り除き、細胞を２．５％クリスタルバイオレット溶液で染色し、ＰＢＳ（−）で３回洗浄・脱色後、プラーグ数の平均値（３個のウエル）から１ｍｌ中のウィルス量をＰＦＵ／ｍｌとして算出した。
【００１６】その結果を次に掲げる。但し記号Ａは本発明に係るフィルターであり、Ｂ〜Ｅは他の同様物比較品であり、Ｆはフィルターなしの場合である。また各数値はプラーグ形成単位／ｍｌ×１０−６を示す。本発明品に桁違いの効果があることが判る。
【００１７】Ａ：日本三晶（株）製……………………２
Ｂ：キテイーメイト……………………２０
Ｃ：東洋紡（株）製……………………２３
Ｄ：キャッチマスク……………………２６
Ｅ：Ａｉｒ−ＡｉＤ  ｍａｓｋ………２９
Ｆ：フィルターなし……………………３７
【００１８】次に、各種試供品を用いて前記のように処理した後の残存プラーグの写真を図２に示す。但し１個の斑点（プラーグ）は１個のウィルスを表し、上段は１／１００００に希釈、下段は１／１０００００に希釈したものである。またそれぞれ左より市販のマスク、布、紙１枚、紙２枚重ね、前記による本発明の「抗菌」シート１枚、同２枚重ねを用いたものを表す。これからも違いは一目瞭然であるが、実際に計測しても、１０−５で／２００以下、１０−４では約１／１０００に減少していることが判明した。
【産業上の利用可能性】
【００１９】本発明に用いられるペカンナッツの殻は、欧米で甚だ大量に産生している植物から食用の実部分を除いた廃棄副産物として大量に存在するものであり、それを本発明品に加工する技術も確立されており、顕著な作用効果に基づく市場ニーズも大きいから、産業上の利用可能性は十分にある。
【図面の簡単な説明】
【００２０】
【図１】本発明のウィルス処理能を示すグラフ
【図２】本発明等で処理した後の残存ウィルスプラーグの写真コピー
【図１】
2007190541.tif 000003
【図２】
2007190541.tif 000004